(57)【要約】【課題】ディジタルＴＶ放送信号受信装置に接続されている多指向性アンテナにおいて、アンテナ方向を調整処理するために必要な所要時間、受信方向精度等の仕様の異なる複数のスキャンモードを設けることにより、ユーザ所望のスキャンモードを自由、かつ簡単に選択でき、アンテナ方向の調整におけるユーザの利便性を向上する。【解決手段】スキャンモード選択画面表示し（Ｓ１）、所要時間等を表記したスキャンモード選択のメニュー画像から、スキャンモード選択時に（Ｓ２）、オートスキャンモード選択の場合は（Ｓ３でＹＥＳ）、オートスキャンモード処理が実行され（Ｓ４）、それ以外の場合で（Ｓ３でＮＯ）、シグナルステイタススキャンモードを選択した場合は（Ｓ５でＹＥＳ）、同モード処理が実行され（Ｓ６）、それ以外の場合（Ｓ５でＮＯ）、エクステンディッドスキャンモードが選択されると（Ｓ７）、同モード処理が実行されて（Ｓ８）、終了する。【選択図】図４
2006101060.tif 000002
【特許請求の範囲】
【請求項１】
多指向性アンテナによる受信方向をスキャンするアンテナスキャン手段と、前記アンテナスキャン手段により、前記多指向性アンテナをスキャン動作させたときのテレビジョン放送信号を受信し、その受信結果に基いて最適な受信方向を記憶させる記憶手段とを備えたディジタルテレビジョン受信装置において、
前記アンテナスキャン手段は、高速で受信方向をスキャンするアルゴリズムからなるオートスキャンモード処理手段と、低速で受信方向をスキャンするアルゴリズムからなるエクステンディドスキャンモード処理手段と、中速で受信方向をスキャンするアルゴリズムからなるシグナルステイタススキャンモード処理手段とを備え、
前記３つのモード処理手段のいずれの手段を用いるかをユーザ操作により選択するための選択手段と、
前記選択手段を用いてユーザが前記モード処理手段のいずれかを選択する時に、メニュー画面をオンスクリーンディスプレイ（以下、ＯＳＤと略す）表示する表示手段とを備え、
前記オートスキャン処理手段は、前記多指向性アンテナを所定の角度間隔で全方向に回転させ、そのときの受信信号強度を測定し、各チャンネル毎に受信信号強度が最大となる最適受信方向を決定し、該方向を前記記憶手段に記憶させ、
前記エクステンディドスキャンモード処理手段は、前記多指向性アンテナを所定の角度間隔で全方向に回転させ、そのときの受信信号ビットエラーレート（以降、ＢＥＲと略す）値を測定し、各チャンネル毎に受信信号ＢＥＲ値が最小となる最適受信方向を決定し、該方向を前記記憶手段に記憶させ、
前記シグナルステイタススキャンモード処理手段は、前記多指向性アンテナを所定の角度間隔で全方向に回転させ、そのときの受信信号ＢＥＲ値を測定し、測定ＢＥＲ値が、ある方向で所定値以下に達した場合、その方向を最適受信方向と決定し、該方向を前記記憶手段に記憶させることを特徴とするディジタルテレビジョン放送信号受信装置。
【請求項２】
多指向性アンテナによる受信方向をスキャンするアンテナスキャン手段と、
前記アンテナスキャン手段により前記多指向性アンテナをスキャン動作させたときのテレビジョン放送信号を受信し、その受信結果に基いて最適な受信方向を記憶させる記憶手段とを備えたディジタルテレビジョン受信装置において、
前記アンテナスキャン手段は、複数のスキャンモードを実行するためのアルゴリズムを有した処理手段から成り、
前記複数のスキャンモードのいずれかをユーザ操作により選択するための選択手段と、
前記選択手段を用いてユーザがスキャンモードを選択する時に、メニュー画面を表示する表示手段とを備えたことを特徴とするディジタルテレビジョン放送信号受信装置。
【請求項３】
前記複数のスキャンモードには、高速でスキャンするオートスキャンモードと、低速でスキャンするスキャンするエクステンディッドスキャンモードとが含まれることを特徴とする請求項２に記載のディジタルテレビジョン放送信号受信装置。
【発明の詳細な説明】
【技術分野】
【０００１】
本発明は、例えばＡＴＳＣなどのディジタルテレビジョン放送信号を受信するためのディジタルテレビジョン放送信号受信装置に関する。
【背景技術】
【０００２】
ＡＴＳＣディジタルテレビジョン放送（以下、ＴＶ放送と略称する）が行われている北米大陸では、平野部に大都市が点在し、各都市の近郊で放送されているＴＶ放送信号を受信するユーザ側から見ると、様々な方向からＴＶ放送信号が送信されてくるため、自分の見たい番組が放送されている放送局の方向にアンテナの向きを調整する必要がある。そこで、スマートアンテナなど多指向性アンテナが実用化されつつある。一般的な地上波テレビジョン放送用のアンテナは、八木アンテナと呼ばれる形状をしており、これは、強い指向性により、弱い電波でも受信することができるのが特徴のアンテナである。一方、指向性が強いために、ある放送局の電波しか受信できないと言う弱点もある。同時に、指向性が高い分、わずかな方向変化でも信号受信強度が変化する。従って、スマートアンテナの方向調整は時間が掛かる現状にある。
【０００３】
なお、放送受信装置において、ＯＳＤ画面にメニュー項目を階層的表示することにより、ＯＳＤ表示のメモリ容量を削減する手段が知られている（特許文献１参照）。また、波形等化器において、アルゴリズム選択器を備え、ＣＰＵでアルゴリズム選択による等化器の消費電力を算出し、電池の残量を表示するものが知られている（特許文献２参照）。さらに、屋内ユニットからのアンテナ方向制御、偏波面制御等により、放送衛星の種類と受信時のアンテナの向き等の受信チャンネル情報をラベルを付して記憶させ、視聴時に、この記憶情報を基に受信する衛星放送受信システムが知られている（特許文献３参照）。
【特許文献１】特開２０００−３３５４６５号公報
【特許文献２】特開平０６−１２０８５６号公報
【特許文献３】特開昭６２−４７２１６号公報
【発明の開示】
【発明が解決しようとする課題】
【０００４】
上述のように、米国のＡＴＳＣディジタルテレビジョン放送では、放送電波が全方向から来る可能性があり、そのため、ＴＶ放送受信においては、多指向性のアンテナ（スマートアンテナ）が必要とされ、ＥＩＡ−９０９規格によれば、スマートアンテナは円を１６分割した各方向に受信方向を有すると規定されている。一方、ＴＶ放送信号を受信するディジタルテレビジョン放送信号受信装置としては、ＥＩＡ−９０９規格に準拠して１６方向の全てに対して多指向性アンテナ受信方向を調整できるように設定されている。
【０００５】
また、ディジタルテレビジョン放送信号受信装置（以下、ディジタルＴＶ放送信号受信装置と略称する）には、ユーザが選択したチャンネルのＴＶ放送信号を最も状態良く受信できるアンテナの方向を選択するオートスキャン機能が備え付けられているものも存在する。通常、放送局側のアンテナ、すなわち送信塔の位置は変化しないので、各チャンネル毎に１６方向についてスキャンを行い、最も受信状態の良い方向をそのチャンネルの受信方向に設定すればよい。ところが、米国などでは、比較的容易に放送局が新規開業する一方、放送局が倒産することもあり得る。そのため、従来受信できなかったチャンネルが新たに受信できるようになったり、従来受信できていたチャンネルが受信できなくなったりすることがある。さらに、高層ビルの建設によってＴＶ放送信号の受信状態が変化することもあり得る。そのため、必要に応じてユーザが選択したチャンネルについて最適な受信方向を設定し直す必要がある場合もあり得る。オートスキャン機能が備えられたディジタルＴＶ放送信号受信装置に、受信方向の切り換えに要する時間が短い多指向性アンテナが接続された場合であっても、受信方向を切り替えるための制御信号が出力される間隔が長いので、選択されたチャンネルのＴＶ放送信号の最適受信方向を決定するのに要する時間が非常に長くなり、ユーザを苛立たせることになる。
【０００６】
一方、スマートアンテナの初期方向設定では、全ての地域チャンネルの、全ての方向について、最適受信方向と最大信号受信レベルを予め時間をかけて測定し、ＴＶ受信機内蔵のメモリに記憶させて、チャンネル選択のアクセス時に、この記憶データに基づいて、直ぐに希望のチャンネルにアンテナの方向を合わせられるようにしている。
【０００７】
しかしながら、ユーザはＴＶ受像の際に、色々な場合において、アンテナの方向を再調整する必要に迫られる。例えば、室内アンテナを使用時の場合などにおいて、ユーザはアンテナの設置場所を変更したり、誤って設置したアンテナの方向を物理的に変えてしまう可能性が少なくなく、急にＴＶ受像ができなくなるといったトラブルが発生し易い。この様な場合、一旦、アンテナの方向が変わると、ＴＶ受像機に記憶している方向データが狂い、メモリに記憶されているチャンネル毎の受信方向データは全く無意味になってしまう。このため、正常な受信に戻すには改めて、再度最初から、アンテナのスキャンを始め、全チャンネルの、全方向での受信レベル測定を繰り返して、アンテナの方向を全面的に修正する必要がある。また、ＴＶ映像は受像されているが、受信画像の画質が劣化してきた場合、又は受像画面に混信電波によるビートや、ゴーストが見られる場合等にも、再度、スキャンをやり直して最適な受信方向に調整することが必要となる。
【０００８】
また、スマートアンテナの方向を調整する場合、アンテナの指向性が狭く、受信方向が１６方向と多いので、ユーザにとっては簡単でなく、時間も要する。さらに、ユーザが、アンテナの調整時において、所要時間が長くても、受信方向精度の良い調整を希望している場合や、逆に、受信方向精度よりは所要時間の短い調整を希望している場合など、その時の状況によってユーザの都合が異なるので、ユーザの希望に沿う内容を含んだ調整のできる受信装置の提供が望まれているが、従来、このような機能を備えたディジタルＴＶ放送信号受信装置は存在しなかった。
【０００９】
本発明は、上記の問題を解決するためになされたものであり、アンテナの方向調整において、所要時間、方向精度の異なるアンテナの受信方向探索の複数の処理プロセスをスキャンモードとして提示することにより、ユーザが所望のスキャンモードを、その時の状況に合わせてて自由に選択できるようにし、アンテナ調整におけるユーザの利便性の向上を図ったディジタルＴＶ信号受信装置を提供することを目的とする。
【課題を解決するための手段】
【００１０】
請求項１の発明は、多指向性アンテナによる受信方向をスキャンするアンテナスキャン手段と、前記アンテナスキャン手段により、前記多指向性アンテナをスキャン動作させたときのテレビジョン放送信号を受信し、その受信結果に基いて最適な受信方向を記憶させる記憶手段と、を備えたディジタルテレビジョン受信装置において、前記アンテナスキャン手段は、高速で受信方向をスキャンするアルゴリズムからなるオートスキャンモード処理手段と、低速で受信方向をスキャンするアルゴリズムからなるエクステンディドスキャンモード処理手段と、中速で受信方向をスキャンするアルゴリズムからなるシグナルステイタススキャンモード処理手段とを備え、前記３つのモード処理手段のいずれの手段を用いるかをユーザ操作により選択するための選択手段と、前記選択手段を用いてユーザが前記モード処理手段のいずれかを選択する時に、メニュー画面をオンスクリーンディスプレイ（以下、ＯＳＤと略す）表示する表示手段とを備え、前記オートスキャン処理手段は、前記多指向性アンテナを所定の角度間隔で全方向に回転させ、そのときの受信信号強度を測定し、各チャンネル毎に受信信号強度が最大となる最適受信方向を決定し、該方向を前記記憶手段に記憶させ、前記エクステンディドスキャンモード処理手段は、前記多指向性アンテナを所定の角度間隔で全方向に回転させ、そのときの受信信号ビットエラーレート（以降、ＢＥＲと略す）値を測定し、各チャンネル毎に受信信号ＢＥＲ値が最小となる最適受信方向を決定し、該方向を前記記憶手段に記憶させ、前記シグナルステイタススキャンモード処理手段は、前記多指向性アンテナを所定の角度間隔で全方向に回転させ、そのときの受信信号ＢＥＲ値を測定し、測定ＢＥＲ値が、ある方向で所定値以下に達した場合、その方向を最適受信方向と決定し、該方向を前記記憶手段に記憶させるものである。
【００１１】
請求項２の発明は、多指向性アンテナによる受信方向をスキャンするアンテナスキャン手段と、前記アンテナスキャン手段により前記多指向性アンテナをスキャン動作させたときのテレビジョン放送信号を受信し、その受信結果に基いて最適な受信方向を記憶させる記憶手段とを備えたディジタルテレビジョン受信装置において、前記アンテナスキャン手段は、複数のスキャンモードを実行するためのアルゴリズムを有した処理手段から成り、
前記複数のスキャンモードのいずれかをユーザ操作により選択するための選択手段と、前記選択手段を用いてユーザがスキャンモードを選択する時に、メニュー画面を表示する表示手段とを備えたものである。
【００１２】
請求項３の発明は、前記複数のスキャンモードには、高速でスキャンするオートスキャンモードと、低速でスキャンするスキャンするエクステンディッドスキャンモードとが含まれるものである。
【発明の効果】
【００１３】
請求項１の発明によれば、ユーザがアンテナ方向を調整する場合において、アンテナの受信方向探索の処理プロセスであるスキャンモード処理として、スキャンモード処理の所要時間の異なる３種類のモードがユーザに提供され、ＯＳＤ表示されることにより、ユーザ所望のスキャンモードが、画面からリモコン等を使って自由に、かつ簡単に選択できる。これにより、全チャンネルにおけるアンテナ方向の再調整を早期に起動でき、最新の方向情報を迅速に、また確実に得られ、常に最適な受信状態を得ることができ、アンテナの調整におけるユーザの利便性が向上する。
【００１４】
請求項２の発明によれば、ユーザがアンテナ方向を調整する場合において、アンテナの受信方向探索の処理プロセスとして、複数のスキャンモードが提供され、所望のスキャンモードを自由に、かつ簡単に選択でき、請求項１と同様の効果を得ることができる。
【００１５】
請求項３の発明によれば、請求項２の発明に加えて、速さの異なるスキャンモード処理が提供されるので、ユーザのその時の都合に合った、最適なスキャン速度をもったスキャンモードを選択でき、請求項１又は請求項２と同様の効果を得ることができる。
【発明を実施するための最良の形態】
【００１６】
以下、本発明の一実施の形態に係るディジタルＴＶ放送信号受信装置について図面を参照して説明する。図１は、ユーザが家庭においてＴＶ放送信号を受信する状況を示す。ディジタル（地上波）ＴＶ放送が行われている地域では、受信したディジタルＴＶ放送信号の強度が所定値以上であれば、補正などにより一定の画質の画像が得られる。そのため、図１に示すように、Ａ地域、Ｂ地域、Ｃ地域など複数箇所の点在する放送局から送信されてくるＴＶ放送信号を受信して、ＴＶ番組を視聴することができる。このような状況に対応して、複数の受信方向を有するスマートアンテナと呼ばれる多指向性アンテナが実用化されている。
【００１７】
ディジタルＴＶ放送信号受信装置は、アナログＴＶ放送信号も受信することができ、ディジタルＴＶ放送信号と同様に、多指向性アンテナの受信方向の数を確認して、無駄のない最適な受信方向制御を行うことができる。従って、特にディジタルＴＶ放送信号とアナログＴＶ放送信号を区別する必要がないときは、単にＴＶ放送信号とする。
【００１８】
一方、ＥＩＡ−９０９規格に準拠したディジタルＴＶ放送信号受信装置は、接続される多指向性アンテナの種類や受信方向の数などにかかわらず、１６の受信方向の全てに対して切り換えが可能でなければならない。
【００１９】
図２は、本実施の形態に係るディジタルＴＶ放送信号受信装置１の構成を示す。ディジタルＴＶ放送信号受信装置１は多指向性アンテナ２に接続され、ＴＶ放送信号を受信するチューナ（放送信号受信手段）１１、チューナ１１で受信したディジタルＴＶ放送信号に対して所定の信号処理を行い、復号化するＡＴＳＣフロントエンド１２、チューナ１１で受信したアナログＴＶ放送信号を復号化するＮＴＳＣデコーダ１３、ＭＰＥＧ圧縮されていたＴＶ放送信号をデコードするＭＰＥＧデコーダ１４、デコードされたＴＶ放送信号に所定の表示画像を重畳させるオンスクリーンディスプレイ部（ＯＳＤ）１５、チューナ１１により受信したＴＶ放送信号の受信状態を検知し、多指向性アンテナ２の制御ユニット２１を制御する（アンテナスキャン手段、選択手段として機能する）とともに、ＡＴＳＣフロントエンド１２やＮＴＳＣデコーダ１３などを制御する制御部（ＣＰＵ）１６、デコードされたＴＶ放送信号を一時的に記憶し、またデコードされたＴＶ放送信号に重畳させる表示画像を記憶するメモリ（記憶手段）１７などで構成されている。ＭＰＥＧデコーダ１４によりデコードされたＴＶ放送信号は、オンスクリーンディスプレイ部１５を介してモニタ装置３に出力され、表示される。本受信装置１は、本体ボタン、又はリモコン等の入力装置１８で操作される。なお、ディジタルＴＶ放送では、ユーザ側のディジタルＴＶ放送信号受信装置１から放送局に向けてデータの送信が可能であるが、本発明とは直接関係がないので、その説明は省略する。
【００２０】
多指向性アンテナ２の制御ユニット２１は、制御部１６からの制御信号に応じて起動し、多指向性アンテナの検出後、多指向性アンテナ２の複数ある受信方向のうち、指示された方向のみを有効にする。多指向性アンテナ２がモータでアンテナを回転させて受信方向を切り換えるタイプである場合、制御ユニット２１はモータの回転を制御して、アンテナを指示された方向に向ける。一方、多指向性アンテナ２が電子スイッチのオン／オフにより有効なアンテナの方向を切り換えるタイプである場合、指示された方向のアンテナに接続された電子スイッチのみをオンし、その他の電子スイッチをオフする。
【００２１】
図３は、多指向性アンテナ２（スマートアンテナ）がＥＩＡ−９０９規格で定められた１６方向の受信方向を有する場合おけるＴＶ放送信号のアンテナの方向の違いによる受信状態例を示したものである。同図において、符号Ｄ０１〜Ｄ１６は、それぞれＥＩＡ−９０９規格で定められた１６の受信方向を示す。ＴＶ放送の各チャンネルの電波到来方向は、例として、太字の矢印で示している。
【００２２】
本実施の形態に係るディジタル放送信号受信装置は、多指向性アンテナが接続されたときに、規格で定められている１６の受信方向のそれぞれについてＴＶ放送信号の受信を行い、受信状態を測定する。そして、各受信チャンネルの信号受信強度の最大の方向、又はビットエラーレート（ＢＥＲ）値の最小の方向を記憶しておき、チャンネル選択時にすぐに多指向性アンテナを最適方向に向ける。
【００２３】
まず、本受信装置１のアンテナのアンテナスキャン手段として、複数のスキャンモード処理を備えている場合のスキャンモード選択処理について、図４に示すフローチャートを参照しつつ説明する。最初に、ユーザが、受信装置１の本体に指令を入力するための入力装置１８（リモコン等）により、スキャンモード選択処理をスタートさせると、スキャンモード選択画面が表示され（Ｓ１）、その選択画面よりスキャンモードが選択されると（Ｓ２）、スキャンモードのリスト一覧が表示され、高速、中速、及び低速で受信方向をスキャンするアルゴリズムからなるオートスキャンモード、シグナルステイタススキャンモード、及びエクステンディドスキャンモードの各スキャンモード名と、各スキャンモードの所要時間がＯＳＤ表示される（後述の図８参照）。ここで、オートスキャンモードが選択されると（スキャン所要時間約５分以内）（Ｓ３でＹＥＳ）、オートスキャンモード処理が実行され（Ｓ４）終了し、オートスキャンモードが選択されず（Ｓ３でＮＯ）、シグナルステイタススキャンモードが選択されると（スキャン所要時間が５分〜２０分程度で、一定以上の受像画質レベルが保証される方向調整）（Ｓ５でＹＥＳ）、シグナルステイタススキャンモード処理が実行され（Ｓ６）終了し、シグナルステイタススキャンモードが選択されず（Ｓ５でＮＯ）、エクステンディドスキャンモードが選択されると（スキャン所要時間が２０分以上掛かるが、受信方向精度が良い）（Ｓ７）、エクステンディドスキャンモード処理が実行され（Ｓ８）、終了する。このことにより、ユーザは、その時点での都合の良いスキャンモードを、自由に選択することができる。
【００２４】
次に、上述のオートスキャンモード、エクステンディドスキャンモード、及びシグナルステイタススキャンモードの各スキャンモードについて図５、図６、図７により順次説明する。図５、図６、図７は、到来放送電波を探索するため、アンテナの指向方向を全受信方向に回転させるスキャン機能を持つ受信方向探索手段として、アンテナの最適受信方向のスキャン処理を行う、上述の３つのスキャンモードについてのフローチャートを示したものである。
【００２５】
まず、上記スキャンモードのうち、受信信号強度により最適受信方向等を決定するオートスキャンモードについて、図５に示すフローチャートを参照しつつ説明する。まず、ユーザにより、オートスキャンモードが選択され、方向スキャンが開始し、最適受信方向を決定するチャンネルが設定されると（Ｓ１１）、制御部１６は、カウンタにＮ＝１６をセットし（Ｓ１２）、第ｎ番目の方向を指定する制御信号を出力する（Ｓ１３）。制御信号を多指向性アンテナ２の制御ユニット２１に出力し、多指向性アンテナ２の受信方向切り換えに要する時間を経過した後、チューナ１１により所定のチャンネルのＴＶ放送信号を受信する（Ｓ１４）。ＴＶ放送信号を受信すると、制御部１６は、受信したＴＶ放送信号の受信信号強度を測定し、測定結果をメモリ１７に保存する（Ｓ１５）。そして、カウンタを１つ減算し（Ｓ１６）、１６の受信方向の全てについてディジタルＴＶ放送信号の信号強度を測定したか否かを判断する（Ｓ１７）。１６の全ての受信方向についてディジタルＴＶ放送信号の信号強度を測定していない場合は（Ｓ１７でＮＯ）、ステップＳ３に戻って次の受信方向についてディジタルＴＶ放送信号の受信信号強度を測定する。
【００２６】
１６の受信方向の全てについてＴＶ放送信号の受信信号強度の測定が完了すると（Ｓ１７でＹＥＳ）、制御部１６は、メモリ１７に保存されている測定データを読み出し、全受信信号強度比較（Ｓ１８）、受信チャンネルでの受信信号強度最大の最適受信方向と、この方向の最適受信信号強度を検出し、それぞれ記憶する（Ｓ１９）。更に、この最適受信方向の受信強度が所定値以上か否かを判断し（Ｓ２０）、所定値以上であれば（Ｓ２０でＹＥＳ）、ＡＤＤフラグ情報として最適受信方向情報と共に記憶する（この場合、ＡＤＤフラグをオン）（Ｓ２１）。一方、最適受信方向の受信強度が所定値以上でなければ（Ｓ２０でＮＯ）、ＡＤＤフラグをオンせず（即ち、ＡＤＤフラグ情報がオフ状態）処理する。その後、チャンネルを変えて、全チャンネルついて同様の測定作業を行い（Ｓ２２）、全チャンネルの最適受信方向、最適受信信号強度、ＡＤＤフラグ情報を記憶して（Ｓ２３）、終了する。このオートスキャンモードは、所要時間が５分程度と短いというメリットがある一方、受信信号強度のレベルで受信方向を選ぶので、妨害波やゴーストが存在する場合は、受信信号強度が見かけ上、増加するため、最適受信方向を間違う可能性があり、受信方向精度が少し悪いと言える。なお、ＡＤＤフラグ情報は、そのチャンネルの最大受信信号強度の受信方向における受信画像が、ＴＶ受像が楽しめる一定以上の画質が得られる受信信号強度レベルの所定値以上である場合にＡＤＤフラグをオンとし、所定値以上でない場合はＡＤＤフラグをオフとして記憶し、ユーザが、チャンネル選択時に、ＡＤＤフラグのオンを示すチャンネルのみ優先的に選局できる等のサービスを提供するために、付加情報として利用するためのものである。
【００２７】
次に、受信信号ビットエラーレート（ＢＥＲ）値により最適受信方向等を決定するエクステンディドスキャンモードについて、図６に示すフローチャートを参照しつつ説明する。まず、ユーザにより、エクステンディドスキャンモードが選択され、方向スキャンが開始され、最適受信方向を決定するチャンネルが設定されると（Ｓ３１）、制御部１６は、カウンタにｎ＝１６をセットし（Ｓ３２）、第ｎ番目の方向を指定する制御信号を出力する（Ｓ３３）。制御信号を多指向性アンテナ２の制御ユニット２１に出力し、多指向性アンテナ２の受信方向切り換えに要する時間を経過した後、チューナ１１により所定のチャンネルのＴＶ放送信号を受信する（Ｓ３４）。ＴＶ放送信号を受信すると、制御部１６は、受信したＴＶ放送信号の受信信号ＢＥＲ値を測定し、測定結果をメモリ１７に保存する（Ｓ３５）。そして、カウンタを１つ減算し（Ｓ３６）、１６の受信方向の全てについてディジタルＴＶ放送信号の受信信号ＢＥＲ値を測定したか否かを判断する（Ｓ３７）。１６の全ての受信方向についてディジタルＴＶ放送信号の受信信号ＢＥＲ値を測定していない場合は（Ｓ３７でＮＯ）、ステップＳ３３に戻って次の受信方向についてディジタルＴＶ放送信号の受信信号ＢＥＲ値を測定する。
【００２８】
１６の受信方向の全てについてＴＶ放送信号の受信信号ＢＥＲ値の測定が完了すると（Ｓ３７でＹＥＳ）、制御部１６は、メモリ１７に保存されている測定データを読み出し、全受信信号ＢＥＲ値比較（Ｓ３８）、受信チャンネルでの受信信号ＢＥＲ値の最小の最適受信方向と、この方向の最適受信信号ＢＥＲ値を検出し、それぞれ記憶する（Ｓ３９）。更に、この最適受信方向の受信信号ＢＥＲ値が、ＴＶ映像が正常に受像できるＢＥＲ値の所定値以下か否かを判断し（Ｓ４０）、所定値以下であれば（Ｓ４０でＹＥＳ）、ＡＤＤフラグ情報として最適受信方向情報と共に記憶する（この場合、ＡＤＤフラグをオン）（Ｓ４１）。一方、最適受信方向の受信信号ＢＥＲ値が所定値以下でなければ（Ｓ４０でＮＯ）、ＡＤＤフラグをオンせず処理し（即ち、ＡＤＤフラグをオフ）、その後、チャンネルを変えて（Ｓ４２）、全チャンネルについて同様の測定作業を行い、全チャンネルの最適受信方向、最適受信信号ＢＥＲ値、ＡＤＤフラグ情報を記憶して（Ｓ４３）、終了する。このエクステンディドスキャンモードは、各チャンネルの全受信方向において、ＢＥＲ値を測定するので、所要時間が２０分程度と長く掛かるが、ＢＥＲ値が最小となる方向を最適受信方向として決定するので、妨害波やゴーストが存在すればＢＥＲ値の増大が検知され、その受信方向を排除することができ、ＴＶ受像画質の良い受信方向が選ばれるので、最適受信方向の方向精度は良いと言える。なお、ＡＤＤフラグ情報は、そのチャンネルの最小ＢＥＲ値の受信方向における受信画像が、ＴＶ受像が楽しめる一定以上の画質が得られるＢＥＲ値の所定値以下である場合にＡＤＤフラグをオンとし、所定値以下でない場合はＡＤＤフラグをオフとして記憶し、ユーザが、チャンネル選択時に、ＡＤＤフラグのオンを示すチャンネルのみ優先的に選局できる等のサービスを提供するために、付加情報として利用するためのものである。
【００２９】
次に、ＢＥＲ値を測定中に最初に所定値以下のＢＥＲ値が得られた受信方向を、最適受信方向と決定するシグナルステイタススキャンモードについて、図７に示すフローチャートを参照しつつ説明する。まず、ユーザにより、シグナルステイタススキャンモードが選択され、方向スキャンが開始し、最適受信方向を決定するチャンネルが設定されると（Ｓ５１）、制御部１６は、カウンタにｎ＝１６をセットし（Ｓ５２）、第ｎ番目の方向を指定する制御信号を出力する（Ｓ５３）。制御信号を多指向性アンテナ２の制御ユニット２１に出力し、多指向性アンテナ２の受信方向切り換えに要する時間を経過した後、チューナ１１により所定のチャンネルのＴＶ放送信号を受信する（Ｓ５４）。ＴＶ放送信号を受信すると、制御部１６は、受信したＴＶ放送信号の受信信号ＢＥＲ値を測定し、測定結果をメモリ１７に保存する（Ｓ５５）。制御部１６は、メモリ１７に保存されている測定データを読み出し、測定受信信号ＢＥＲ値が、ＴＶ映像が正常に受像できるＢＥＲ値の所定値以下か否かを判断し（Ｓ５６）、所定値以下であれば（Ｓ５６でＹＥＳ）、ＡＤＤフラグ情報をオンとして最適受信方向情報、ＢＥＲ値情報と共に記憶する（この場合、ＡＤＤフラグをオン）（Ｓ５７）。そして、現チャンネルでのスキャンはこの時点で終了し、次のチャンネルに進み同様の測定を行い（６２）、全チャンネルの最適受信方向、最適受信信号ＢＥＲ，ＡＤＤフラグ等が記憶され（６３）、終了する。一方、ステップＳ５６で、受信方向の受信信号ＢＥＲ値が所定値以下でなければ（Ｓ５６でＮＯ）、カウンタを１つ減算し（Ｓ５８）、ステップＳ５３に戻って次の受信方向についてディジタルＴＶ放送信号の受信信号ＢＥＲ値を測定する。１６の受信方向の全てについてディジタルＴＶ放送信号の受信信号ＢＥＲ値を測定したか否かを判断する（Ｓ５９）。
【００３０】
１６の受信方向の全てについてＴＶ放送信号の受信信号ＢＥＲ値の測定が完了すると（Ｓ５９でＹＥＳ）、制御部１６は、メモリ１７に保存されている測定データを読み出し、全受信信号ＢＥＲ値比較（Ｓ６０）、受信チャンネルでの受信信号ＢＥＲ値の最小の方向を最適受信方向とし、この方向の最適受信信号ＢＥＲ値を検出し、最適受信方向、最適受信信号ＢＥＲ値、ＡＤＤフラグ情報（この場合は、ＡＤＤフラグオフ）のそれぞれを記憶する（Ｓ６１）。その後、チャンネルを変えて全チャンネルについて同様の作業を行い（Ｓ６２）、全チャンネルの最適受信方向情報、最適受信信号ＢＥＲ値情報、ＡＤＤフラグ情報を記憶して（Ｓ６３）、終了する。上述のように、シグナルステイタススキャンモードは、ある方向でＢＥＲ値が所定値以下であれば、画質の良いテレビ受像ができることから、アンテナのスキャンを、全方向で行わずに、その時点で終え、次のチャンネルの方向スキャンに移るので、受像画質が一定レベル以上保証された上で、全チャンネルの方向決定が早くでき、所要時間が前述のエクステンディドスキャンより短くできるメリットがある。従って、シグナルステイタススキャンモードについては、調整所要時間は、上記オートスキャンモードとエクステンディドスキャンモードの間の１０分前後程度で、受信方向精度の特性は、オートスキャンモードより良く、エクステンディドスキャンモードより少し劣るので、相対的に二つのスキャンモードの間の性能に位置するスキャンモードであると言える。なお、ＡＤＤフラグ情報は、前述のエクステンディドスキャンモードの場合と同様に、ユーザが、チャンネル選択時に、ＡＤＤフラグのオンを示すチャンネルのみ優先的に選局できる等のサービスを提供するために、付加情報として利用するためのものである。
【００３１】
次に、図８は、図５〜図７で述べた３種類のスキャンモードの選択を、ユーザがモニタ装置３のＯＳＤ表示上で行うためのメニュー画面の例を示している。同図において、メニュー項目７０のＣＨＡＮＮＥＬ項目７１を選択すると、ＳＣＡＮ  ＭＯＤＥの文字７２が表示されて、スキャンモードとして、オートスキャンモード（ＡＵＴＯ  ＳＣＡＮ）７３、シグナルステイタススキャンモード（ＳＩＧＮＡＬ  ＳＴＡＴＵＳ  ＳＣＡＮ）７４、エクステンディッドスキャンモード（ＥＸＴＥＮＤＥＤ  ＳＣＡＮ）７５の各スキャンモード名が表示され、同時に各スキャンモード名の横に所要時間の目安を示す「５分」７６、「１０分」７７、「２０分」７８が表示される。今、スキャンモード７２でオートスキャンモード７３を選ぶと、大きく「ＡＵＴＯ  ＳＣＡＮ」の文字ランプ７９が表示され、オートスキャンモードが動作中は、この文字ランプ７９が点灯し、終了すると消える。これらの作業は全てリモコンのカーソルで行える。
【００３２】
以上述べたように、本発明によるディジタルＴＶ放送受信装置によれば、アンテナの方向調整時間、方向調整精度の異なる複数のアンテナ受信方向探索を行うスキャンモードが、ＯＳＤ画面においてメニュー表示されているので、ユーザが希望に合ったアンテナのスキャンモード処理をメニュー表示のスキャンモードの中から容易に選択でき、全チャンネルにおけるアンテナ方向の調整を早期に起動させ、最適の方向情報を、迅速、また確実に得られることにより、常に最適な受信状態を得ることを可能とし、ユーザの利便性を向上することができる。
【００３３】
なお、本発明は、上記実施形態に限られるものではなく、様々な変形が可能である。例えば、上記実施形態においては、各スキャンモードの所要時間を「５分」、「１０分」、及び「２０分」として表示したが、これらの所要時間の表示を、前回に測定された各スキャンモードでの所要時間を記憶しておき、それらの記憶時間を各スキャンモード毎に表示することも可能であり、より実際に近い所要時間情報を提供することができ、サービス性が高まる。
【００３４】
また、図８において、各スキャンモード名の横に所要期間を表示しているが、これを画質、音質レベルで、「Ｇｏｏｄ」、「Ｂｅｔｔｅｒ」、「Ｅｘｃｅｌｌｅｎｔ」のように表示し、画質、音質により選択するようにすることもできる。
【００３５】
さらに、特に、不要電波による相互変調や混変調によるビートやゴーストがある場合には、最適受信方向を受信信号強度によって探索するオートスキャンモードでは、調整しても改善されない場合があるので、このような場合は、所要時間を要するが、シグナルステイタススキャンモード、又はエクステンディッドスキャンモードで行うことを推奨するメッセージを、図８のスキャンモード選択画面に注釈表示して、ユーザの利便性を図ることもできる。
【図面の簡単な説明】
【００３６】
【図１】ユーザが家庭においてディジタルＴＶ放送信号を受信する状況を示す概念図。
【図２】本発明の一実施形態に係るディジタルＴＶ放送信号受信装置の構成を示す電気的ブロック図。
【図３】アンテナの方向とＴＶ放送信号の受信状態の一例を示す図。
【図４】上記受信装置によるスキャンモード選択処理を示すフローチャート。
【図５】上記受信装置によるオートスキャンモード処理を示すフローチャート。
【図６】上記受信装置によるエクステンディドスキャンモード処理を示すフローチャート。
【図７】上記受信装置によるシグナルステイタススキャンモード処理を示すフローチャート。
【図８】上記受信装置のスキャンモード選択のメニュー画面例を示す図。
【符号の説明】
【００３７】
１  ディジタルＴＶ放送信号受信装置
２  多指向性アンテナ（スマートアンテナ）
３  モニタ装置（表示手段）
１１  チューナ
１２  ＡＴＳＣフロントエンド
１３  ＮＴＳＣデコーダ
１４  ＭＰＥＧデコーダ
１５  オンスクリーンディスプレイ部（ＯＳＤ）
１６  制御部（アンテナスキャン手段、選択手段）
１７  メモリ（記憶手段）
１８  入力装置
２１  制御ユニット
【図１】
2006101060.tif 000003
【図２】
2006101060.tif 000004
【図３】
2006101060.tif 000005
【図４】
2006101060.tif 000006
【図５】
2006101060.tif 000007
【図６】
2006101060.tif 000008
【図７】
2006101060.tif 000009
【図８】
2006101060.tif 000010